(57)【要約】  【課題】熱交換器性能を低下させることなくスケールつまりを抑制し、スケールつまりによる熱交換器性能の低下、水流路の閉塞を抑制して熱交換器の長期信頼性を高める。  【解決手段】熱交換器１Ｘは、内部に第一の流体の流路の水側流路２ａと第二の流体の流路の冷媒側流路４ａを有し、第一の流体の水と第二の流体の冷媒とが互いに熱交換可能に流動する管状体である三重管１と、振動発生手段である振動モータ８とを備え、振動モータ８で、三重管１内の水側流路２ａの内管２内の水と接触して熱交換する壁面２ｂを振動させて、スケールを剥離し、再付着も防止することにより、スケールつまりによる熱交換性能の低下、水流路の閉塞を抑制し、長期信頼性を高めることができる。【選択図】図３
2006317069.tif 000002
【特許請求の範囲】
【請求項１】
管状体または筐体の内部に有し、第一の流体と第二の流体とが互いに熱交換可能に流動する第一の流体の流路および第二の流体の流路と、振動発生手段とを備え、前記振動発生手段で前記第一の流体の流路内の、第一の流体と接触して熱交換する壁面を振動させることを特徴とする熱交換器。
【請求項２】
前記管状体または筐体は、前記第一の流体の流路および第二の流体の流路を内部に、一体に形成、もしくは、別体を密着させて形成した剛体である請求項１に記載の熱交換器。
【請求項３】
前記第一の流体の流路の壁面に沿って挿入した伸縮性部材を有する請求項１または２に記載の熱交換器。
【請求項４】
前記伸縮性部材を、熱交換された前記第一の流体の高温側に備えた請求項１から３のいずれか一項に記載の熱交換器。
【請求項５】
第一の流体と第二の流体の熱交換の運転積算時間に応じて前記振動発生手段を駆動させる請求項１から４のいずれか一項に記載の熱交換器。
【請求項６】
前記第一の流体の流路のつまり検知手段を備え、前記つまり検知手段の検知に基づいて、自動または手動にて前記振動発生手段を駆動させる請求項１から４のいずれか一項に記載の熱交換器。
【請求項７】
手動スイッチにて任意に前記振動発生手段を駆動させる請求項１から４のいずれか一項に記載の熱交換器。
【請求項８】
第一の流体は水、第二の流体は二酸化炭素である請求項１から７のいずれか一項に記載の熱交換器。
【発明の詳細な説明】
【技術分野】
【０００１】
本発明は、ヒートポンプ式の給湯機や家庭用、業務用の空気調和機などにおいて、水と冷媒との熱交換を行う熱交換器に関するものである。
【背景技術】
【０００２】
従来、この種の熱交換器は、使用していくと次第に水中のカルシウム、マグネシウム等の硬度成分がスケール（例えば炭酸カルシウム）として水側流路に析出、付着、堆積していく。スケールが熱交換する壁面に堆積すると、熱抵抗となって熱交換性能を低下させたり、流路抵抗を増加させて水を流すための加圧ポンプの水の流量を減少させたり、水側流路を閉塞して製品として機能しなくなってしまうという課題がある。水が高温になると、特に炭酸カルシウムの析出が極端に増加するので、熱交換器の高温側はスケールが堆積し易い。このスケールによる熱交換性能の低下、つまり抑制のため、つまり除去手段を備えたもの（例えば、特許文献１参照）や、スケールが付き易い高温の下流側の水側流路の断面積を大きくしたもの（例えば、特許文献２参照）がある。
【０００３】
特許文献１には、水側流路内のつまり除去手段を備えたヒートポンプ給湯機が記載されている。スケールの除去方法として、ヒートポンプ給湯機の水回路に加圧通水したり、振動を加えたり、水回路の一部を着脱可能な構成としたりすることが開示されている。しかし、水と冷媒が熱交換する熱交換器について、その詳細な構成の説明はなされていなかった。
【０００４】
また、図１０は、特許文献２に記載された従来の熱交換器の部分断面図である。熱交換器１００は、水管１０１と、冷媒管１０２と、水連結管１０３、冷媒連結管１０４とから構成され、水管１０１は、下流側に上流側より大きな直径の管を用いている。
【０００５】
以上のように構成された上記の熱交換器１００について、以下その動作を説明する。
【０００６】
通常、水管１０１と冷媒管１０２は、熱の授受を行い、高温の冷媒からの熱で低温の水を加温する。水管１０１内にスケールが析出しても下流側は流路が大きいため、円滑に流れていく。また、付着してもつまるまでに時間がかかり、熱交換器の寿命を延命できた。
【特許文献１】特開２００４−１４４４４５号公報
【特許文献２】特開２００４−０９３０３７号公報
【発明の開示】
【発明が解決しようとする課題】
【０００７】
しかしながら、上記従来の特許文献２に記載の熱交換器１００の構成では、水側流路を大きくすると、水の流速が低下するので、熱交換性能が低下するという課題を有していた。
【０００８】
本発明は、上記従来の課題を解決するもので、熱交換器性能を低下させることなく、スケールつまりを抑制し、熱交換器の長期信頼性を高めることを目的とする。
【課題を解決するための手段】
【０００９】
上記従来の課題を解決するために、本発明の熱交換器は、管状体または筐体の内部に有し、水と冷媒とが互いに熱交換可能に流動する水側流路および冷媒側流路と、振動発生手段とを備え、前記振動発生手段で前記水側流路内の水と接触して熱交換する壁面を振動させるものである。
【００１０】
これによって、水側流路の熱交換する壁面を加振するので、スケールを振り剥がすとともに、水側流路の壁面への再付着を防止する。
【発明の効果】
【００１１】
本発明の熱交換器は、スケールつまりによる熱交換器性能の低下、水流路の閉塞を抑制し、熱交換器の長期信頼性を高めることができる。
【発明を実施するための最良の形態】
【００１２】
請求項１に記載の発明は、管状体または筐体の内部に有し、第一の流体と第二の流体とが互いに熱交換可能に流動する第一の流体の流路および第二の流体の流路と、振動発生手段とを備え、前記振動発生手段で前記第一の流体の流路内の、第一の流体と接触して熱交換する壁面を振動させるものである。
【００１３】
これによって、第一の流体を水とした場合、付着したスケールを振り剥がし、さらにスケールの水側流路の壁面への再付着を防止することにより、スケールつまりによる熱交換器性能の低下、水流路の閉塞を抑制し、熱交換器の長期信頼性を高めることができる。また、振動が水に伝播することにより、水の乱流化が促進されて、熱交換性能を向上させることができる。
【００１４】
請求項２に記載の発明は、請求項１に記載の発明において、前記管状体または筐体は、前記第一の流体の流路および第二の流体の流路を内部に、一体に形成、もしくは、別体を密着させて形成した剛体としたものである。
【００１５】
これによって、振動を、第一の流体の流路内の熱交換する壁面まで、剛体を通じて減衰を抑えて効率よく伝えられるため、振動発生手段を管状体または筐体の外周に取付けることができる。
【００１６】
請求項３に記載の発明は、請求項１または２に記載の発明において、前記第一の流体の流路の壁面に沿って挿入した伸縮性部材を有するものである。
【００１７】
これによって、第一の流体の流路内の、第一の流体と接触して熱交換する壁面を振動させることで、伸縮性部材の壁面に接していない一部分が壁面と衝突し、反力を受けた方向に微動する。壁面に接していた一部分は、壁面より自由度が大きいため、壁面から力を受けて壁面から離れる方向へと動き、壁面近傍にて壁面の振幅より大きな幅で動く。したがって、全体的には、伸縮性部材はたわみやねじれを有することから、部分的な微動が表面を波打つように伝播して、軸方向、周方向に伸縮する。そのため、伸縮性部材と壁面が擦れることで、第一の流体を水とした場合、壁面に付着したスケールを剥がして除去し、スケールつまりを防止できる。また、壁面近傍で伸縮性部材が微動するため、壁面近傍の水の乱流化を促進し、さらに熱交換性能を向上させることができる。
【００１８】
請求項４に記載の発明は、請求項１から３のいずれか一項に記載の発明において、前記伸縮性部材は、熱交換された第一の流体の高温側に備えたものである。
【００１９】
これによって、第一の流体を水とした場合、スケールが付着し易い熱交換器本体の高温側に伸縮性部材備えることで、少ない部材で水の流体の流路の閉塞を防止でき、部材挿入による水の流動抵抗増加を抑制しながら、また、より安価に熱交換器の長期信頼性を高めることができる。
【００２０】
請求項５に記載の発明は、請求項１から４のいずれか一項に記載の発明において、第一の流体と第二の流体の熱交換の運転積算時間に応じて前記振動発生手段を駆動させるものである。
【００２１】
これによって、第一の流体を水とした場合、定期的に加振してスケールを除去し、一定量以上に成長することを防いで熱交換器の長期信頼性を高めることができる。
【００２２】
請求項６に記載の発明は、請求項１から４のいずれか一項に記載の発明において、前記第一の流体の流路のつまり検知手段を備え、前記つまり検知手段の検知に基づいて、自動または手動にて前記振動発生手段を駆動させるものである。
【００２３】
これによって、第一の流体を水とした場合、速やかにスケールの成長を検知してスケールの除去を行い、一定量以下にスケール付着を抑制し、熱交換器の長期信頼性を高めることができる。
【００２４】
請求項７に記載の発明は、請求項１から４のいずれか一項に記載の発明において、手動スイッチにて任意に前記振動発生手段を駆動させるものである。
【００２５】
これによって、第一の流体を水とした場合、任意のタイミングでスケールを除去することができ、突発的にスケールが急成長した場合など、速やかに対応することができ、熱交換器の長期信頼性を高めることができる。
【００２６】
請求項８に記載の発明は、請求項１から７のいずれか一項に記載の発明において、第一の流体は水、第二の流体は二酸化炭素としたものである。
【００２７】
これによって、特にヒートポンプ式給湯機に用いると、製品として高い熱交換効率を得ることができる。
【００２８】
以下、本発明の実施の形態について、図面を参照しながら説明する。従来例または先に説明した実施の形態と同一構成については同一符号を付して、その詳細な説明は省略する。なお、この実施の形態によって本発明が限定されるものではない。
【００２９】
（実施の形態１）
図１は、本発明の実施の形態１における熱交換器の構成を示す要部断面図、図２は、図１のＡ−Ａ線における断面図である。図３は、同実施の形態におけるスケール除去作用を示す状態図である。図４は、同実施の形態における他の熱交換器の構成を示す要部断面図である。
【００３０】
図１、図２において、熱交換器１Ｘの本体は、管状体である三重管１で構成される。三重管１の内部には、三重管１は、内部に第一の流体である水と、第二の流体である二酸化炭素が熱交換可能に流動し、第一の流体の流路である水側流路２ａの内管２と、内管２の外周を覆って内管２に部分的に密着する中管３と、中管３の外周を覆って部分的に密着し、中管３との間に冷媒の二酸化炭素が流動する第二の流体の流路である冷媒側流路４ａを形成する外管４とからなる。中管３は、内壁に内管２に部分的に密着する溝５を有する。外管４は、内壁に中管３に密着するリブ６を有する。三重管１の管端には分岐管７を取付ける。分岐管７内部に外管４の管端を設け、内管２と中管３は貫通させることで、水と二酸化炭素の出入口を分ける。分岐管７を貫通させた中管３の管端は、内管２よりも短くして、溝を大気に連通させている。内管２、中管３、外管４は耐食性、熱伝導性の良い銅製である。三重管１の外管４の外壁には振動発生手段である振動モータ８を備え、振動モータ８はタイマスイッチ９により駆動をさせるように構成されている。振動モータ８は、ＤＣブラシレスモータ等を用いた振動発生部を有して構成してある。
【００３１】
以上のように構成された熱交換器１Ｘについて、以下その動作、作用を説明する。
【００３２】
水側流路２ａである内管２の内部に低温の水を、中管３と外管４との間の冷媒側流路４ａにヒートポンプ冷媒回路に有する圧縮機（図示なし）より高温の二酸化炭素を対向させて流すと、内管２と中管３の管壁を介して水と二酸化炭素が熱交換して温水を作る。
【００３３】
さらに、図３に示すように、振動モータ８で三重管１を構成する外管４を加振することにより、リブ６、中管３、内管２へと振動を伝播させて、内管２の水側流路２ａを流れる水と接触する壁面２ｂを振動させる。振動モータ８は全周方向に振動するので、壁面２ｂもあらゆる方向に振動することとなり、付着したスケール１０を振り剥がすとともに、スケール１０の再付着を防止できる。また、振動する壁面２ｂとこれに接触する水への振動の伝播により、水の乱流化が促進される。これによって熱交換性能を向上させることができる。
【００３４】
管状体である三重管１は、内管２、中管３、外管４を剛体とし、この剛体同士を密着させているため、振動モータ８を水側流路２ａの熱交換する壁面２ｂに直接取り付けなくとも、振動を減衰させることなく壁面２ｂまでよく伝えられるため、三重管１の外管４の外壁に取付けることで内管２の水側流路２ａ側の壁面２ｂを振動させることができる。
【００３５】
タイマスイッチ９は、水と冷媒の熱交換または熱交換器を含む製品（たとえばヒートポンプ給湯器）の運転時間を積算して、運転積算時間がある設定値に達すると、振動モータ８を駆動させて、三重管１を加振する。これによって、あらかじめスケールの成長速度を測定し、一定量堆積する時間を把握しておけば、その堆積時間で定期的に加振してスケールを除去することで、一定量以上に成長することを防ぐことができる。
【００３６】
また、三重管１としたことで、水と二酸化炭素との間の熱抵抗も低く、十分な伝熱面積を確保することができる。また、水と二酸化炭素との間が二重壁構造で、一方の管が腐食した場合、大気と連通する中管３の溝５で内部流体の漏洩を検知できる構造となっている。さらに、リブ６が二酸化炭素流路の変形や潰れ等を防ぎ、加えて、二酸化炭素の流体直径を小さくする。
【００３７】
以上のように、本実施の形態においては、振動モータ８で三重管１を加振することにより、付着したスケール１０を振り剥がすとともに、スケール１０の再付着を防止するため、スケールつまりによる熱交換器性能の低下、水流路の閉塞を抑制し、熱交換器の長期信頼性を高めることができる。また、水の乱流化を促進し、熱交換性能を向上させることができる。
【００３８】
なお、本実施の形態では、振動発生手段は振動モータ８としたが、これに限らず、圧電素子を利用したアクチュエータや製品内の振動を伴う他部品（例えば、圧縮機や送風機など）を振動源としたものでも、同様の効果を奏する。
【００３９】
また、本実施の形態の三重管１は、内管２、中管３、外管４の各々が剛体で、各管を密着させているため、振動を減衰させることなく内管２までよく伝えられるため、三重管１の外管４の外壁に取付けることで内管２の水側流路２ａ側の壁面２ｂを振動させられることにより、振動モータ８を簡単に取り付けることができる。なお、内管２、中管３、外管４は一体に形成して構成したものでもよい。
【００４０】
なお、熱交換器１Ｘの本体を構成する管状体は三重管１として示したが、これに限らず、内部に水側流路と冷媒側流路を有し、剛的に一体または密着しているものであればよく、たとえば単に丸管を水管、冷媒管として重ね合せたもの（図示せず）等種々の形態でも、同様の効果を奏する。また、熱交換器１Ｘの本体を構成するのは、筺体でもよく、たとえば、水側流路を箱状の筺体とし、筺体の外側壁面または内側壁面に冷媒通路となる管、多孔体を密着または一体に形成して構成したもの（図示せず）でもよい。
【００４１】
また、本実施の形態では、タイマスイッチ９を用いて運転積算時間に応じて振動モータ８を駆動させることにより、外管４を加振して、リブ６、中管３、内管２へと振動を伝播させて水側流路２ａの熱交換する壁面２ｂを振動させ、定期的にスケールを除去することで、一定量以上に成長することを防いで、水側流路２ａの閉塞を防止し、熱交換器の長期信頼性を高めることができる。
【００４２】
また、第一の流体を水、第二の流体を二酸化炭素として、熱交換器１Ｘをヒートポンプ式給湯機用水冷媒熱交換器として使用することで、高いヒートポンプ効率を得ることができる。
【００４３】
なお、本発明の実施の形態では、第二の流体を二酸化炭素としたが、これに限らず、Ｒ４１０Ａ、Ｒ３２等その他の高圧冷媒を用いても同様な効果を奏する。
【００４４】
また、本実施の形態では、熱交換器１Ｘの本体を構成する管状体を三重管１としたことで、水と二酸化炭素との間の熱抵抗も低く、十分な伝熱面積を確保して、高い熱交換効率を得ることができる。さらに、また、水と二酸化炭素との間が二重壁構造で、給湯用熱交換器として安全性を確保し、中管３への溝付管適用等で漏洩検知構造を安価に得ることができる。従って、熱交換効率が高く、小型で安価な漏洩検知構造を有する熱交換器を得ることができる。
【００４５】
さらに、本実施の形態では、内管２、中管３、外管４は銅製としたが、真ちゅう、ＳＵＳ等でも同様な効果を得る。内部に水が流動する内管２は、好ましくは耐食性の良い材料（例えば銅、ステンレス）で、冷媒が流動し、直径が大きく、肉厚も厚くなる外管４は、好ましくは高強度で、熱伝導性の良い材料（例えば銅、アルミニウム等の合金）のものがよい。
【００４６】
なお、図４に示すように、振動モータ８を駆動させるタイマスイッチ９に加えて、手動スイッチ１１を備えた構成としてもよい。手動スイッチ１１を備えたことにより、任意のタイミングでスケールを除去することができ、突発的にスケールが急成長した場合など、速やかに対応することができ、熱交換器の長期信頼性を高めることができる。
【００４７】
（実施の形態２）
図５は、本発明の実施の形態２における熱交換器の構成を示す要部断面図である。図６は、同実施の形態における伸縮性部材を挿入した内管の要部断面図である。図７は、同実施の形態におけるスケール除去作用を示す状態図である。図８は、同実施の形態における他の熱交換器の構成を示す要部断面図である。
【００４８】
図５、図６において、熱交換器１Ｘは、水側流路２ａである内管２の壁面２ｂに沿って、伸縮性部材であるメッシュ状部材１２を、熱交換された水の高温となる下流側に挿入したものである。メッシュ状部材１２は銅線１２Ａを円筒状に編んだもので、たわみやねじれにより、軸方向、周方向について伸縮性を有している。
【００４９】
以上のように構成された熱交換器について、以下その動作、作用を説明する。
【００５０】
メッシュ状部材１２は伸縮性を有するため、微視的には、構成する銅線１２Ａの１本１本は内管２の壁面２ｂに接したり、接してなかったりしている。あらゆる方向に振動する振動モータ８で三重管１を加振すると、外管４から内管２まで振動が伝わり、壁面２ｂが振動する。
【００５１】
図７に示すように、各銅線１２Ａのうち、壁面２ｂに接していない銅線１２Ａは、壁面２ｂと衝突し、その後、衝突の際に受けた反力の方向に動く。壁面２ｂに接していた銅線１２Ａは、壁面２ｂより自由度が大きいため、壁面２ｂから振動方向へ力を受けて壁面２ｂから離れる方向へと動き、壁面２ｂ近傍にて壁面２ｂの振幅より大きな幅で動く。たとえば、メッシュ状部材１２は黒丸実線から白丸点線の位置へと移動して、銅線１２Ａは壁面２ｂに付着したスケール１０を剥離させる。また、全体的には、壁面２ｂの振動により、メッシュ状部材１２はたわみやねじれを有することから、銅線１２Ａの一本一本の微動が、メッシュ状部材１２の円筒状表面を波打つように伝播して、軸方向、周方向に伸縮する。したがって、壁面２ｂが振動すると、メッシュ状部材１２は、壁面２ｂ近傍にて微動し、伸縮する。伸縮する過程で壁面２ｂと擦れて、壁面２ｂに堆積したスケール１０を剥離させることができる。さらに、メッシュ状部材１２を構成する銅線１２Ａが、壁面２ｂ近傍で微動することにより、壁面２ｂ近傍の水の流れを乱し、水の乱流化を促進できる。
【００５２】
また、メッシュ状部材１２を熱交換された水の高温側にのみ備えたことで、スケールが付着し易い熱交換器本体の高温側のスケールを除去することで、少ない部材で水流路の閉塞を防止できる。
【００５３】
以上のように、本実施の形態においては、伸縮性を有するメッシュ状部材１２を、水側流路２ａである内管２の壁面２ｂに沿って挿入することにより、三重管１を加振することで、メッシュ状部材１２が壁面２ｂと衝突して微動を始め、たわみによって微動が表面全体へと伝播して、軸方向、周方向に伸縮して壁面２ｂと擦れる。擦れることで、壁面２ｂに付着したスケールを剥がして除去し、スケールつまりを防止できる。また、壁面２ｂ近傍の水の乱流化を促進し、さらに熱交換性能を向上できる。
【００５４】
また、メッシュ状部材１２を熱交換された水の高温側にのみ備えたことで、付着し易い高温側のスケールを除去することで、少ない部材で水流路の閉塞を防止でき、部材挿入による水の流動抵抗増加を抑制しながら、また、より安価に熱交換器の長期信頼性を高めることができる。
【００５５】
なお、本実施の形態では、伸縮性部材として銅線１２Ａ製のメッシュ状部材１２を示したが、これに限らず、図８に示すような、らせん状線材１３等でも同様の効果を奏する。
【００５６】
（実施の形態３）
図９は、本発明の実施の形態３における熱交換器の構成を示す要部断面図である。
【００５７】
図９において、熱交換器１Ｘは、三重管１の外管４外壁に振動モータ８を備え、水側流路２ａのつまり検知手段となる流量センサ１４を備える。
【００５８】
以上のように構成された熱交換器について、以下その動作、作用を説明する。
【００５９】
まず、流量センサ１４で水側流路２ａ内の水の流量を測定する。スケールが水側流路２ａ内に堆積していくと流路抵抗が増加していくことから、水を流すための加圧ポンプの水の流量が減少していく。これを利用して、予め、水の流量と流路抵抗の関係を把握しておけば、流路抵抗の増加分からスケール堆積状況を推測でき、つまり検知ができる。測定した水の流量が、設定した値にまで減少することにより、つまりを検知し、つまり検知に基づいて、振動モータ８を駆動させて三重管１を加振し、スケール除去を行う。これによって、速やかにスケールの成長を検知してスケールの除去を行い、一定量以下にスケール付着を抑制できる。
【００６０】
以上のように、本実施の形態においては流量センサ１４を備え、そのつまり検知により、振動モータ８を駆動させて三重管１を加振する。これによって、速やかにスケールの成長を検知してスケールの除去を行い、一定量以下にスケール付着を抑制し、熱交換器の長期信頼性を高めることができる。
【００６１】
なお、本実施の形態では、つまり検知手段として流量センサ１４を示したが、これに限らず、温度センサや他の物性を測定するセンサ等種々の検知方法を用いても、同様の効果を奏する。温度センサの場合、スケールの堆積によって水側流路の流路抵抗が増加すると、水を流すための加圧ポンプの流量が減少する。加熱量に対して熱交換する水量が減少するので、熱交換後の水温が上昇する。このため、水の温度を計測することでも、つまり検知を行うことができる。
【００６２】
また、本実施の形態において振動モータ８は、流量センサ１４のつまり検知により駆動させる構成として示したが、実施の形態１に示した運転積算時間によるタイマスイッチ９や、手動スイッチ１１を合せて備えた構成でもよく、種々の組合せが考えられる。
【産業上の利用可能性】
【００６３】
以上のように、本発明の熱交換器は、第一の流体の流路内の、第一の流体と接触して熱交換する壁面を振動させてスケールを剥離し、再付着も防止することにより、スケールつまりによる熱交換性能の低下、第一の流体の流路の閉塞を抑制し、熱交換器の長期信頼性を高めることができる。さらに、第一の流体の流路の壁面に沿って、伸縮性部材を挿入することで、第一の流体の熱交換する壁面を振動させて得るスケールつまり防止効果を増大させることができるので、温水を得る各種製品の熱交換器等にも適用できる。
【図面の簡単な説明】
【００６４】
【図１】本発明の実施の形態１における熱交換器の構成を示す要部断面図
【図２】図１のＡ−Ａ線における断面図
【図３】同実施の形態におけるスケール除去作用を示す状態図
【図４】同実施の形態における他の熱交換器の構成を示す要部断面図
【図５】本発明の実施の形態２における熱交換器の構成を示す要部断面図
【図６】同実施の形態における伸縮性部材を挿入した内管の要部断面図
【図７】同実施の形態におけるスケール除去作用を示す状態図
【図８】同実施の形態における他の熱交換器の構成を示す要部断面図
【図９】本発明の実施の形態３における熱交換器の構成を示す要部断面図
【図１０】従来の熱交換器の部分断面図
【符号の説明】
【００６５】
１    三重管（管状体）
１Ｘ  熱交換器
２ａ  水側流路（第一の流体の流路）
２ｂ  壁面
４ａ  冷媒側流路（第二の流体の流路）
８    振動モータ（振動発生手段）
９    タイマスイッチ
１１  手動スイッチ
１２  メッシュ状部材（伸縮性部材）
１３  らせん状線材（伸縮性部材）
１４  流量センサ（つまり検知手段）
【図１】
2006317069.tif 000003
【図２】
2006317069.tif 000004
【図３】
2006317069.tif 000005
【図４】
2006317069.tif 000006
【図５】
2006317069.tif 000007
【図６】
2006317069.tif 000008
【図７】
2006317069.tif 000009
【図８】
2006317069.tif 000010
【図９】
2006317069.tif 000011
【図１０】
2006317069.tif 000012